(57)【要約】      （修正有）【課題】省エネで効率よく発電を行える発電機。【解決手段】固定子ヨーク１をつなぎ目の無いリング状にしてその上部に発電コイル２を巻くことにより、発電時の回転子のＮ極Ｓ極の吸着と離脱をなくす。ヨークの内部１に穴を空けて冷却物質を循環させて放熱冷却する。固定子ヨーク１のコアコイルを被膜で絶縁した鉄線をコイル状にして、抵抗を大きくしジュール熱を減少させる。固定子ヨークを右巻きのものと左巻きのものを交互に配列し、回転ローターに対するブレーキを少なくする。【選択図】図３
2016226104.tif 000002
【特許請求の範囲】
【請求項１】
請求項１
回転軸を中心にリング状にコイル状の固定子ヨークを切れ目なく配列し、コイルは偶数個を右巻き左巻き交互に
設置する。円盤形状に磁石をN極S極を偶数個で同数交互に同極の位置で配置した電磁鋼板の回転子を
固定子ヨークを挟み込むように設置したことにより回転ブレーキを減少させる発電機。
請求項２
請求項１に記載の発電機において、丸または角状の鉄線を被膜で絶縁し巻いたものを固定子ヨークとて使用
絶縁することにより発電時に固定子ヨークの電気抵抗が大きくなりジュール熱を減少させる発電機。
請求項３
請求項１または２に記載の発電機において、固定子ヨーク内部に冷却用穴を設け、
冷却物質を循環させることにより固定子ヨークの熱を減少させる発電機。
請求項４
請求項１乃至３に記載の発電機において、
固定子ヨークをつなぎ目の無いリング状にしてその上部に発電コイルを右巻き左巻き交互に巻く。
これにより回転子の回転時のゴギングトルクを無くした発電機。
【発明の詳細な説明】
【技術分野】
【０００１】
本発明は、高効率の省エネ型発電機に関するものである。
【背景技術】
【０００２】
現在の発電機は直流発電機と同期交流発電機、エアギャップ発電機等の
発電機がある。
上記発電機はコイルに磁石が通過する時に発電を行う装置である。
【発明の概要】
【発明が解決しようとする課題】
【０００３】
現在の発電機は使用電力に対して発電効率の悪いものとなっている。
発電の際に発電機の内部で磁石と固定子ヨーク間で
ゴギングトルクが発生して回転抵抗となる。
この抵抗により発電効率は悪くなる。
【０００４】
発電した電力使用時には発電コイルに熱が発生する。
【０００５】
発電の際に発電機の内部で固定子ヨークにジュール熱が発生する。
この熱が発電機の高効率な発電を阻害している。
【０００６】
発電電圧を電力として消費する時に
電力消費量に比例して発電機の回転にブレーキがかかる。
【課題を解決するための手段】
【０００７】
第1の発明は発電時の回転をスムーズにするものである。
固定子ヨークをつなぎ目の無いリング状にしてその上部に発電コイルを右巻き左巻き交互に巻く。
つなぎ目がないため発電時の回転子のＮ極Ｓ極の吸着と離脱がなくなる。
これにより発電機回転時のゴギングトルクをなくすことを特徴とする。
【０００８】
第2の発明は発電電力使用時のコイルの熱を減少させるものである。
コイルを固定子ヨークに固定することによって放熱する。
固定子ヨークの内部に穴を空けて冷却物質を循環させて放熱冷却することを特徴とする。
【０００９】
第3の発明は発電時の固定子ヨークを磁石Ｓ極Ｎ極が交互に通過する際に
固定子ヨークの熱を減少させるものである。
固定子ヨークのコアコイルを被膜で絶縁した鉄線をコイル状にすることにより
発電時に回転子が回転する際に電気抵抗を大きくし渦電流を抑える。
これによりジュール熱を減少させることを特徴とする。
【００１０】
第4の発明は固定子ヨークを右巻きのものと左巻きのものを交互に配列する
ことにより磁気ローターが回転し発電電力を消費時に同磁極同士が反発するようにする。
これにより回転ローターに対するブレーキが少なくなることを特徴とする。
【発明の効果】
【００１１】
本発明によれば発電機に於いて、発電コイルの冷却及び発電時の回転ブレーキの減少、ゴギングトルクが発生せず、
ジュール熱が低減し効率よく発電できるようになる。
【図面の簡単な説明】
【００１２】
【図１】図１  本発明の実形態における発電部の断面図である。
【図２】図２  固定子ヨークにコイルを右巻き左巻き交互に設置した立体図である。
【図３】図３  コイル部、電磁鋼板に磁石を取り付けた立体図である。
【図４】図４  固定子ヨークとコイルを装着した固定子及び磁石を装着した回転子の配列図面である。
【図５】図５  鉄線をコイル状に巻き固定子ヨークのコアとして使用した図面である。
【図６】図６  冷却用穴を設置した固定子ヨークの断面図である。
【発明を実施するための形態】
【００１３】
以下、本発明の実施形態に係る発電装置について説明する。
【００１４】
図１は磁石を電磁鋼板に組み付けたローターをベアリングを装着して回転軸に組み付ける。
固定子ヨークを支柱に固定した断面図である。
【００１５】
図２は固定子ヨークにコイルを右巻き左巻き交互に設置した立体図である。コイル及び磁石は偶数個とする。
【００１６】
図３  図２の固定子ヨークと磁石の関係を立体図としたものである。
電磁鋼板に組み付けた磁石は前後同じ極性をもったものを対面上に取り付ける。
磁石は極性ＮとＳを偶数個交互に設置する。コイルの個数と磁石の個数は同数とする。
【００１７】
図４  円盤状の電磁鋼板に磁石をN極S極交互に取り付けた関係と動作を示した平面図である。
【００１８】
電磁鋼板に装着した磁石をN極S極を交互に配置する。上記固定子ヨークと磁石は偶数個のセットとする。
【００１９】
発電電力使用時のコイルと磁石の関係は以下の通りとなる。
上下磁石Ｎ極２９が１３と１４の間位置に移動するとき１３にはＳ極が発生１４にはＮ極が発生する。
上下磁石Ｓ極３０が１５と１６の間位置に移動するとき１５にはＮ極が発生１６にはＳ極が発生する。
上下磁石Ｎ極３１が１７と１８の間位置に移動するとき１７にはＳ極が発生１８にはＮ極が発生する。
上下磁石Ｓ極３２が１９と２０の間位置に移動するとき１９にはＮ極が発生２０にはＳ極が発生する。
【００２０】
上下磁石Ｎ極３３が２１と２２の間位置に移動するとき２１にはＳ極が発生２２にはＮ極が発生する。
上下磁石Ｓ極３４が２３と２４の間位置に移動するとき２３にはＮ極が発生２４にはＳ極が発生する。
上下磁石Ｎ極３５が２５と２６の間位置に移動するとき２５にはＳ極が発生２６にはＮ極が発生する。
上下磁石Ｓ極３６が２７と２８の間位置に移動するとき２７にはＮ極が発生２８にはＳ極が発生する。
【００２１】
上下磁石Ｓ極３０が１５と１６間位置に移動しようとするときに１６位置に起きたＳ極の磁気により反発する。
また１５に発生したＮ極の磁気には引き寄せられる。
この時通常は磁気ローターの回転方向に対してブレーキがかかるが、図４による配列によりこのブレーキは減少する。
図４の設置関係によれば１４、１５のＮ極同士の反発により磁気が弱まる。
１６、１７のＳ極同士の反発により磁気が弱まる。
【００２２】
回転子が回転する際には１８、１９、２０、２１、２２、２３、２４、２５、２６、２７、２８、１３も同様な状態となる。
これにより磁気ローターの回転方向に対するブレーキは弱まる。
【００２３】
図５  鉄線をコイル状に巻き固定子ヨークのコアとして使用する。
これにより発電時に回転子が回転する際電気抵抗を大きくし渦電流を抑えジュール熱が減少する。
図６  固定子ヨークに冷却用の穴を設けることで固定子ヨークが冷却されコイルも同様に冷却される。
【産業上の利用可能性】
【００２４】
発電時における発熱と駆動ロスを減少させ発電効率の良い発電機を製作することが出来る。
【符号の説明】
【００２５】
１  固定子ヨーク  
２  コイル  
３  支柱  
４  磁石  
５  電磁鋼板  
６  シャフト  
７  ベアリング  
８  支柱  
９  プーリー  
１０  冷却物質循環用穴  
１１  コアコイル鉄線
１２  発電電力出力部
１３、１４、１５、１６、１７、１８、１９、２０、２１、２２、２３、２４、２５、２６、２７、２８  発電時Ｓ極またはＮ極発生部
３７、３９、４１、４３  左巻き発電コイル
３８、４０、４２、４４  右巻き発電コイル
２９、３１、３３、３５  磁石Ｎ極
３０、３２、３４、３６  磁石Ｓ極
【図１】
2016226104.tif 000003
【図２】
2016226104.tif 000004
【図３】
2016226104.tif 000005
【図４】
2016226104.tif 000006
【図５】
2016226104.tif 000007
【図６】
2016226104.tif 000008
【手続補正書】
【提出日】平成27年6月24日(2015.6.24)
【手続補正１】
【補正対象書類名】特許請求の範囲
【補正対象項目名】全文
【補正方法】変更
【補正の内容】
【特許請求の範囲】
【請求項１】
回転軸を中心にリング状にコイル状の固定子ヨークを切れ目なく配列し、
コイルは偶数個を右巻き左巻き交互に設置する。
円盤形状に磁石のN極S極を偶数個で同数交互に同極の位置で配置した
電磁鋼板の回転子を固定子ヨークを挟み込むように設置したことにより
回転ブレーキを減少させる発電機。
【請求項２】
請求項１に記載の発電機において、丸または角状の鉄線を被膜で絶縁し巻いた
ものを固定子ヨークとて使用。絶縁することにより発電時に固定子ヨークの
電気抵抗が大きくなりジュール熱を減少させる発電機。
【請求項３】
請求項１または２に記載の発電機において、固定子ヨーク内部に冷却用穴を
設け、冷却物質を循環させることにより固定子ヨークの熱を減少させる発電機。
【請求項４】
請求項１乃至３に記載の発電機において、固定子ヨークをつなぎ目の無い
リング状にしてその上部に発電コイルを右巻き左巻き交互に巻く。
これにより回転子の回転時にゴギングトルクを無くした発電機。